(57)【要約】【課題】塵芥収集コンテナ３の操作性を向上させる。【解決手段】積み込み装置６を操作するための第１及び第２操作部７１，７２を備え、第２操作部７２を、足踏み式のスイッチにより構成する。第２操作部７２は、コンテナ３の接続部３７に着脱可能に構成して、第２操作部７２を接続しているときには、第１操作部７１を、積み込み装置６の停止操作を除いて操作不能とする。【選択図】　　　　　図１
2004001978.tif 000002
【特許請求の範囲】
【請求項１】
塵芥収容箱に塵芥を積み込むための積み込み装置を備えた塵芥収集コンテナであって、
上記積み込み装置を操作するための第１及び第２操作部を備え、
上記第２操作部は、足踏み式のスイッチにより構成されている
ことを特徴とする塵芥収集コンテナ。
【請求項２】
請求項１において、
第２操作部が電気的に接続される接続部を備え、
上記第２操作部は、上記接続部に対して着脱可能に構成されている
ことを特徴とする塵芥収集コンテナ。
【請求項３】
請求項２において、
第１操作部は、第２操作部が接続部に接続されているときには、積み込み装置の操作が不能となり、上記第２操作部が接続部に接続されていないときには、上記積み込み装置の操作が可能となるように構成されている
ことを特徴とする塵芥収集コンテナ。
【請求項４】
請求項３において、
第１操作部は、第２操作部が接続部に接続されているときにも、積み込み装置の作動を停止させる操作が可能となるように構成されている
ことを特徴とする塵芥収集コンテナ。
【請求項５】
請求項１において、
車台に対して積み降ろし可能に構成されている
ことを特徴とする塵芥収集コンテナ。
【発明の詳細な説明】
【０００１】
【発明の属する技術分野】
本発明は、塵芥収容箱に塵芥を積み込むための積み込み装置を備えた塵芥収集コンテナに関する。
【０００２】
【従来の技術】
従来より、車台上に塵芥収集コンテナを搭載して構成された塵芥収集車が知られている（例えば実公平４−５４４５号公報参照）。このものでは、上記塵芥収集コンテナが、塵芥が収容される塵芥収容箱と、この塵芥収容箱に塵芥を積み込むための積み込み装置とを有している。
【０００３】
また、特開平１１−２０８３５８号公報には、上記塵芥収集コンテナを、車台に積み降ろし可能に構成した塵芥収集車が記載されている。
【０００４】
【発明が解決しようとする課題】
ところで、上記積み込み装置を操作するための操作部は、上記塵芥収集コンテナの後端部に設けられており、塵芥収集コンテナに塵芥を積み込む際には、上記操作部を操作して積み込み装置を作動させた状態で、塵芥収集コンテナの後端開口から塵芥を投入するようにしている。
【０００５】
ところが、塵芥収集コンテナに塵芥を投入するときに、両手がふさがっている場合もあり、この場合は、塵芥収集コンテナの後端部に設けた操作部を操作し難くなる。
【０００６】
例えば上記塵芥収集コンテナ（積み込み装置）を常時作動させた状態にすれば、上記の不都合は解消されるものの、塵芥収集コンテナを車台に降ろして定置状態で使用するときには、塵芥の投入は間欠的に行われることになるため、塵芥収集コンテナは、必要時だけ作動させることが好ましい。このため、塵芥収集コンテナを定置状態で使用する場合には、操作部の操作のし難さが特に問題となり、改善の余地がある。
【０００７】
本発明は、このような事情に鑑みてなされたものであり、その目的とするところは、塵芥収集コンテナの操作性を向上させることにある。
【０００８】
【課題を解決するための手段】
本発明は、塵芥収容箱に塵芥を積み込むための積み込み装置を備えた塵芥収集コンテナに係り、上記積み込み装置を操作するための第１及び第２操作部を備えるものとする。そして、本発明は、上記第２操作部を、足踏み式のスイッチにより構成することを特定事項とするものである。
【０００９】
ここで、第１操作部は、例えば塵芥収集コンテナの後端部に設けるようにすればよい（従来の操作部）。また、上記第２操作部は、例えばその踏み操作により積み込み装置が作動するように構成すればよい。
【００１０】
この構成によると、第１操作部とは別に、足踏み式のスイッチからなる第２操作部を備えているため、この第２操作部を操作することによって、積み込み装置を作動させることができる。このため、例えば両手がふさがっている状態であっても、第２操作部を足で操作して積み込み装置を作動させることが可能になり、塵芥収集コンテナの操作性が向上する。
【００１１】
また、塵芥の積み込みを行うときに第２操作部を操作して、積み込み装置を作動させればよく、積み込み装置を常時作動させる必要がない。これにより、省エネルギ性が図られる。
【００１２】
上記塵芥収集コンテナには、第２操作部が電気的に接続される接続部を備えるようにし、上記第２操作部を、上記接続部に対して着脱可能に構成してもよい。
【００１３】
こうすることで、足踏み式のスイッチによる第２操作部が必要のないときには、この第２操作部を取り外すことが可能になる。つまり、必要に応じて第２操作部を着脱させることで、利便性が向上する。
【００１４】
このように、第２操作部を着脱可能に構成した場合は、第１操作部を、第２操作部が接続部に接続されているときには、積み込み装置の操作が不能となり、上記第２操作部が接続部に接続されていないときには、上記積み込み装置の操作が可能となるように構成することが好ましい。
【００１５】
こうすることで、積み込み装置の操作が可能になる操作部は、第１及び第２操作部のいずれか一方となるため、塵芥収集コンテナの安全性を確保することが可能になる。
【００１６】
また、第１及び第２操作部のいずれか一方のみが操作可能となるようにしても、第２操作部が接続部に接続されているときには、第１操作部は、積み込み装置の作動を停止させる操作が可能となるように構成することが好ましい。
【００１７】
こうすることで、第１操作部は、積み込み装置の作動を停止させる操作については常に可能であるため、第１操作部において例えば積み込み装置の緊急停止操作を行うことが可能となり、安全性が高いレベルで確保される。
【００１８】
上記塵芥収集コンテナは、車台に対して積み降ろし可能に構成してもよい。
【００１９】
例えば塵芥収集コンテナを車台から降ろして定置状態で使用するときには、塵芥の積み込みが間欠的に行われることが予想されるため、第２操作部の踏み操作により積み込み装置を操作可能にすることで、利便性が大幅に向上する。
【００２０】
【発明の効果】
以上説明したように、本発明における塵芥収集コンテナによれば、従来からの第１操作部とは別に、足踏み式のスイッチからなる第２操作部を備えることで、例えば両手がふさがっている状態であっても、この第２操作部の踏み操作によって積み込み装置を作動させることができ、塵芥収集コンテナの操作性を向上させることができる。
【００２１】
また、第２操作部を、塵芥収集コンテナに対して着脱可能に構成すると共に、第２操作部を塵芥収集コンテナに接続したときには、第１操作部における停止操作を除く操作を不能に構成することによって、用途に応じて第２操作部を用いることが可能になると共に、高レベルの安全性を確保することができる。
【００２２】
【発明の実施の形態】
以下、本発明の実施形態を図面に基いて説明する。
【００２３】
図１は、本発明の実施形態に係る塵芥収集車を示しており、このものは、キャブ１と、車台２と、この車台２上に荷役手段４によって積み降ろし可能に搭載された塵芥収集コンテナ３（以下、単にコンテナともいう）とから構成されている。
【００２４】
上記塵芥収集コンテナ３は、塵芥収容箱３１と、この塵芥収容箱３１の後端開口に下開き可能に接続された塵芥投入箱３２とを備えている。塵芥収容箱３１には、図２に示すように、収容された塵芥を後端開口から排出する排出プレート５が設けられている。また、塵芥投入箱３２には、投入口３６から投入された塵芥を上記塵芥収容箱３１に積み込むための積み込み装置６が設けられている。尚、上記塵芥収集コンテナ３は、塵芥収容箱３１の前端に設けられた脚３３と、塵芥投入箱３２の後端に設けられたキャスター３４とによって、地上に定置される。
【００２５】
上記荷役手段４は、水平部の後端が車台２の後端に軸支されたＬ字状の荷役アーム４１を備え、この荷役アーム４１の垂直部の上端にコンテナ３の前端上部に係止するフック４２が設けられている。また、荷役アーム４１の水平部と車台の前部とに、荷役アーム４１を後方へ回動させるための回動用シリンダ４３が連結されている。荷役アーム４１の水平部は伸縮用シリンダ４４によって、伸縮可能に構成されている。尚、この回動用シリンダ４３及び伸縮用シリンダ４４は、いずれも油圧シリンダである。
【００２６】
図１は、コンテナ３の積み降ろしの途中の状態を示している。車台２の後方の地面からコンテナ３を車台２に積み上げる場合は、回動用シリンダ４３を伸長作動させることにより、荷役アーム４１を後方へ回動させてフック４２をコンテナ３に係止する。その状態で回動用シリンダ４３を縮小作動させることにより荷役アーム４１を前方へ回動させていくと、コンテナ３はその前端が浮き上がって前方へ引かれ、コンテナ３の主桁３５が車台２の後端に設けられた案内ローラ２１に載る（図１に示す状態）。さらに荷役アーム４１を前方へ回動させると、コンテナ３が車台２上に完全に載る。次いで、伸縮用シリンダ４４を伸長させて荷役アーム４１の垂直部をコンテナ３と共に前方へ移動させる。
【００２７】
一方、コンテナ３を降ろす場合は、上記積み上げと逆の動作をすることになる。つまり、伸縮用シリンダ４４を縮小作動させてコンテナ３を後方へ移動させ、その状態で回動用シリンダ４３を伸長作動させることにより、荷役アーム４１を後方へ回動させていく。これにより、コンテナ３はその前端が浮き上がり、案内ローラ２１に載って後方へ移動し、後端のキャスター３４が着地し（図１の状態）、車台２の後方へ押し出される。
【００２８】
上記積み込み装置６は、図２に示すように、塵芥投入箱３２内において、後方の下方に向かって傾斜する案内溝部材６１と、この案内溝部材６１に沿って往復動する昇降板６２とを備えている。上記昇降板６２は、上記案内溝部材６１の傾斜方向に沿って配設された昇降シリンダ６３の伸縮作動により往復動するように構成されている。
【００２９】
また、上記昇降板６２の下端には、押込板６４が前後方向に揺動可能に軸支されており、この押込板６４と上記昇降板との間を連結する押込シリンダ６５の伸縮作動により、上記押込板６４は前後方向に揺動するように構成されている。
【００３０】
この構成により、押込板６４を前方から後方に揺動させる戻し工程によって、押込板６４を後方に戻した状態において、上記塵芥投入箱３２にの投入口３６から塵芥が投入されると、昇降板６２を下降作動させる圧縮工程によって、上記押込板６４により塵芥は圧縮され、その後、上記押込板６４を後方から前方に揺動させる掻き込み工程によって、塵芥は掻き集められ、この状態で上記昇降板６２を上方に移動させる押込み工程によって、塵芥は、塵芥投入箱３２から塵芥収容箱３１内に積み込まれるようになっている。上記積み込み装置は、戻し工程、圧縮行程、掻き込み工程、及び押込み工程の各工程により１サイクルが構成される。
【００３１】
そして、上記積み込み装置６を操作するための操作部（第１操作部）７１は、図１に示すように、塵芥収容箱３２の後端における車幅方向両側位置にそれぞれ設けられている。
【００３２】
また、本実施形態では、上記積み込み装置６を操作するための操作部として、足踏み式のスイッチからなる第２操作部７２を備えている。この第２操作部７２は、図３に示すように、操作者が踏み操作をすることによってオン操作されるスイッチＳＷ−１７（図５参照）を有する略板状の本体部７３と、コンテナ３に設けられた接続部３７に接続されるコネクタ７５と、上記本体部７３とコネクタ７５とを接続するコード７４とから構成されている。ここで、上記コネクタ７５は、接続部３７に対して着脱可能に構成されている。
【００３３】
次に、図４及び図５に示す回路図を参照しながら、上記塵芥収集コンテナ３の動作について説明する。
【００３４】
図４及び図５は、それぞれ上記塵芥収集コンテナ３に係る電気回路の一部を示していて、図４は、上記第２操作部７２が非接続であるときの回路を示し、図５は、第２操作部７２が接続されたときの回路を示している。同図において、８５は電源ライン、８６はアースラインである。
【００３５】
尚、図示は省略するが、上記積み込み装置６における昇降シリンダ６３及び押込シリンダ６５を作動させるための油圧ポンプ及びソレノイドが設けられており、油圧ポンプは、別途設けられたメインスイッチによって、作動が開始されるように構成されている。
【００３６】
上記電気回路は、コンテナ３における塵芥の排出・積込の切換を行う切換回路部８１と、積み込み装置６における塵芥の積み込み操作のための第１操作回路部（第１操作部７１に対応する）８２、及び第２操作回路部（第２操作部７２に対応する）８３と、昇降シリンダ６３及び押込シリンダ６５の作動を操作するためのシリンダ操作回路部８４とから構成されている。
【００３７】
上記切換回路部８１には、切換スイッチＳＷ−１が設けられており、このものは、積込側接点と排出側接点とを有する双投スイッチに構成されている。切換スイッチＳＷ−１を排出側接点に投入したときには、塵芥収容箱３１に設けられた排出プレート５の操作が可能になる。
【００３８】
一方、上記切換スイッチＳＷ−１を積込側接点に投入したときには、Ｒ９リレー接点、Ｒ８リレー接点及びＲ１７リレー接点を介して第１操作回路部８２に通電される。
【００３９】
ここで、Ｒ９リレー接点は、ロックが開操作されたときに閉になるものであり、Ｒ８リレー接点は、塵芥投入箱３２（ホッパ）が塵芥収容箱３１に対して閉じられたときに閉になるものである。また、Ｒ１７リレー接点は、後述するように、第２操作部７２が非接続のときに閉になるものである。
【００４０】
上記第１操作回路部８２には、操作スイッチＳＷ−３が設けられており、この操作スイッチＳＷ−３をオン操作したときには、常閉の下降スイッチＳＷ−１３、左側停止スイッチＳＷ−１５、右側停止スイッチＳＷ−４及びリミットスイッチＬＳ−１０を介してＲ１リレーに通電される（停止回路８７）。ここで、下降スイッチＳＷ−１３は昇降シリンダ６３を下降させるスイッチである。また、左側停止スイッチＳＷ−１５は、塵芥収容箱３２の車幅方向左側に設けられた停止スイッチであり、右側停止スイッチＳＷ−４は、塵芥収容箱３２の車幅方向右側に設けられた停止スイッチである。
【００４１】
こうしてＲ１リレーに通電されると、このＲ１リレーの励磁により、上記第１操作回路部８２に設けられたＲ１リレー接点が閉となる。これにより、切換スイッチＳＷ−１６に通電される。
【００４２】
上記切換スイッチＳＷ−１６は、連動側接点と単動側接点とを有する双投スイッチである。ここで、単動作動とは、上述したように、積み込み装置６を１サイクル分だけ作動させた後にこの積み込み装置６を停止させるものであり、連動作動とは積み込み装置６を連続して作動させるものである。
【００４３】
上記切換スイッチＳＷ−１６が連動側接点に投入されているときには、Ｒ１７リレー接点、常閉のＲ６リレー接点を介して上記停止回路８７に通電されて、これにより、Ｒ１リレーが通電されてＲ１リレー接点が閉の状態にされる。こうして作動回路８８に通電されて上記ソレノイドに通電されるようになり、その結果、上記昇降シリンダ６３及び押込シリンダ６５がそれぞれ作動をして、積み込み装置６における塵芥の積み込み動作が行われる（連動作動）。このときは、停止回路８７に設けられた左側停止スイッチＳＷ−１５又は右側停止スイッチＳＷ−４を操作することによって、Ｒ１リレーの通電が断たれるようになり、これにより、Ｒ１リレー接点が開となって、作動回路８８の通電が断たれる。こうして、積み込み装置６が停止される。
【００４４】
一方、上記切換スイッチＳＷ−１６が単動側接点に投入されているときには、Ｒ５リレー接点及びＲ１０リレー接点、並びに常閉のＲ６リレー接点を介して、停止回路に通電される。これにより、上述したように、Ｒ１リレーが通電されて、その結果、積み込み装置６の作動が開始される。
【００４５】
ここで、図示省略のＲ５リレー及びＲ１０リレーは、昇降シリンダ及び押込シリンダの動作位置に応じて励磁されるように構成されている。つまり、塵芥投入箱３２内に設けたリミットスイッチ（図示省略）によって、昇降板６２及び押込板６４の位置を検出し、これにより、積み込み装置６が１サイクル動作を完了したときにはＲ５リレー接点及びＲ１０リレー接点が開になる。その結果、Ｒ１リレーの通電が断たれてＲ１リレー接点が開となるため、切換スイッチＳＷ−１６を単動側接点に投入しているときには、積み込み装置６が１サイクル分作動した時点で停止するようになる（単動作動）。
【００４６】
尚、シリンダ操作回路部８４には、上記積み込み装置６の昇降シリンダ６３を上昇させる操作スイッチＳＷ−７と、上記昇降シリンダ６３を下降させる操作スイッチＳＷ−１３とが設けられていると共に、上記積み込み装置６の押込シリンダ６５を反転（押込板６４を前方から後方への揺動）させる操作スイッチＳＷ−６が設けられている。
【００４７】
図５は、第２操作部７２を接続したときの回路を示している。第２操作部７２を接続したときにはＲ１７リレーに通電される。これにより、Ｒ１７リレーが励磁して、２つのＲ１７リレー接点が共に開となる。その結果、第１操作回路部８２における操作スイッチＳＷ−３、及びシリンダ操作回路部８４の各操作スイッチＳＷ−７，ＳＷ−１３，ＳＷ−６は操作不能になる。つまり、第１操作部７１において、積み込み装置６の始動操作と、シリンダ操作とが不能になる。
【００４８】
一方、上記第２操作部７２の操作スイッチＳＷ−１７（足踏み式のスイッチ）をオン操作したときには、停止回路８７に通電されてＲ１リレーが励磁される。その結果、Ｒ１リレー接点が閉となり、作動回路８８に通電されて積み込み装置６における塵芥の積み込み動作が行われる。このとき、切換スイッチＳＷ−１６が連動側接点に投入されているときでも、Ｒ１７リレー接点が開であるため、積み込み装置６の連動作動は行われない。また、切換スイッチＳＷ−１６が単動側接点に投入されているときには、積み込み装置６が１サイクル分作動してＲ５リレー接点及びＲ１０リレー接点が開になり、積み込み装置６は停止する。
【００４９】
また、第２操作部７２の操作スイッチＳＷ−１７をオン操作しているときでも、停止回路８７に設けられた左側停止スイッチＳＷ−１５又は右側停止スイッチＳＷ−４を操作することによって、Ｒ１リレーの通電が断たれるようになり、これにより積み込み装置６を停止させることができる。つまり、第２操作部７２を接続しているときでも、第１操作部７１における停止操作は可能となるように構成されている。
【００５０】
このように、本実施形態に係る塵芥収集コンテナ３では、塵芥収集コンテナ３の後端部に設けられた第１操作部７１と別に、足踏み式のスイッチからなる第２操作部７２を備えているため、この第２操作部７２を踏み操作することによって、積み込み装置６を作動させることができる。このため、例えば両手がふさがっている状態であっても、第２操作部７２を足で操作して積み込み装置６を作動させることが可能になり、塵芥収集コンテナ３の操作性を向上させることができる。
【００５１】
また、塵芥の積み込みを行うときに第２操作部７２を操作して、積み込み装置６を作動させればよく、積み込み装置６を常時作動させる必要がない。特に、塵芥収集コンテナ３を車台２から降ろして定置状態で使用するときには、塵芥の積み込みが間欠的に行われることが予想されるため、第２操作部７２の踏み操作により積み込み装置６を操作可能にすることで、省エネルギ性が図ることができると共に、利便性を大幅に向上させることができる。
【００５２】
また、上記第２操作部７２は、塵芥収集コンテナ３に対して着脱可能に接続されるため、第２操作部７２が必要のないときには、この第２操作部７２を取り外すことが可能になる。つまり、必要に応じて第２操作部７２を着脱させることで、利便性を向上させることができる。
【００５３】
また、第２操作部７２が接続されているときには、第１操作部７１における積み込み装置６の操作（操作スイッチＳＷ−３の操作）、及びシリンダ操作回路部８４におけるシリンダ操作が不能となり、上記第２操作部７２が接続されていないときには、上記第１操作部７１における積み込み装置６の操作が可能となるように構成されている。こうして、積み込み装置６の操作が可能になる操作部を、第１及び第２操作部７１，７２のいずれか一方とすることにより、塵芥収集コンテナ３の安全性を確保することができる。
【００５４】
一方、第２操作部７２を接続したときでも、第１操作部７１における左側停止スイッチＳＷ−１５及び右側停止スイッチＳＷ−４の操作により、積み込み装置６を停止させることができるため、安全性を高いレベルで確保することができる。
【００５５】
尚、上記実施形態では、油圧ポンプは、別途設けられたメインスイッチによって作動が開始されるように構成しているが、例えば、第２操作部７２を操作したときに、上記油圧ポンプの作動が開始されるように構成してもよい。
【００５６】
こうすることで、塵芥の積み込みを行わないときには、油圧ポンプを停止させておくことで、省電力化を図ることが可能になる一方、塵芥の積み込みを行うときには、第２操作部を操作することだけで（油圧ポンプを作動させるメインスイッチを操作を行わなくても）、積み込み装置６を作動させることが可能になり、操作性を大幅に向上させることができる。尚、この場合は、油圧ポンプが安定運転となってから昇降シリンダ６３及び押込シリンダ６５を作動させるべく、油圧ポンプの作動開始と、昇降シリンダ６３及び押込シリンダ６５の作動開始との間にタイムラグを設けることが好ましい。
【００５７】
＜他の実施形態＞
尚、本発明は上記実施形態に限定されるものではなく、その他種々の実施形態を包含するものである。すなわち、上記実施形態では、塵芥収集コンテナ３を、車台２に対して積み降ろし可能に構成しているが、塵芥収集コンテナ３が搭載された塵芥収集車に本発明を適用してもよい。
【図面の簡単な説明】
【図１】本発明の実施形態に係る塵芥収集コンテナを有する塵芥収集車を示す側面図である。
【図２】塵芥収集コンテナの積み込み装置を示す側面図である。
【図３】第２操作部を示す斜視図である。
【図４】第２操作部が接続されていないときの電気回路図である。
【図５】第２操作部が接続されているときの電気回路図である。
【符号の説明】
２　　　　　　車台
３　　　　　　　　　　　塵芥収集コンテナ
３１　　　　　　　　　塵芥収容箱
３７　　　　　接続部
６　　　　　　　　　　　積み込み装置
７１　　　　　　　　　第１操作部
７２　　　　　第２操作部
【図１】
2004001978.tif 000003
【図２】
2004001978.tif 000004
【図３】
2004001978.tif 000005
【図４】
2004001978.tif 000006
【図５】
2004001978.tif 000007